(57)【特許請求の範囲】
【請求項１】
ユーザ機器（ＵＥ）による無線通信のための方法であって、
協調マルチポイント（ＣｏＭＰ）動作のために使用されるデータ・リソース要素（ＲＥ）のセットを前記ＵＥによって決定することと、ここで、前記決定することは、前記ＣｏＭＰ動作に含まれる特定の基地局に利用可能なデータＲＥおよびＣｏＭＰスキームのタイプに基づく、
前記決定されたデータＲＥのセットにおいて、前記ＣｏＭＰ動作を介して受信されたデータを処理することと、
を備える方法。
【請求項２】
前記決定することは、前記ＣｏＭＰ動作に含まれる特定の基地局のおのおのによって使用されるデータＲＥの交わりに基づく、請求項１に記載の方法。
【請求項３】
前記決定することは、データＲＥの開始シンボル・インデクスを提供するシグナリングに基づく、請求項１に記載の方法。
【請求項４】
前記シグナリングは、準静的なコンフィギュレーションによって提供される、請求項３に記載の方法。
【請求項５】
前記シグナリングは、物理ダウンリンク制御チャネル（ＰＤＣＣＨ）を用いて伝送される動的なインジケーションによって提供される、請求項３に記載の方法。
【請求項６】
前記開始シンボル・インデクスは、前記ＣｏＭＰ動作に含まれる特定の基地局のおのおののために個別に示される、請求項３に記載の方法。
【請求項７】
前記ＣｏＭＰ動作に含まれる特定の基地局のすべてのために、単一の開始シンボル・インデクスが示される、請求項３に記載の方法。
【請求項８】
前記決定することは、物理ダウンリンク制御チャネル（ＰＤＣＣＨ）が送信されるセルのために利用可能なデータＲＥにさらに基づく、請求項１に記載の方法。
【請求項９】
前記決定することは、前記ＣｏＭＰ動作に含まれる特定の基地局のおのおのによって使用されるデータＲＥの結びに基づく、請求項１に記載の方法。
【請求項１０】
前記処理することは、前記データＲＥの結びのサブセットにおいて、前記ＣｏＭＰ動作に含まれる特定の基地局のおのおのによって送信された共通の変調シンボルを処理することを備える、請求項９に記載の方法。
【請求項１１】
前記決定することはさらに、前記ＣｏＭＰ動作に含まれる特定の基地局のうちのいくつかに利用可能ではないパンクチャされたデータ位置に対応するＲＥに基づき、
前記処理することは、パンクチャされたデータ位置に対応するＲＥにおいて、前記基地局から送信された別の変調シンボルを処理することを備える、請求項１０に記載の方法。
【請求項１２】
前記決定することは、前記ＣｏＭＰ動作に含まれる特定の基地局によってチャネル状態情報基準信号（ＣＳＩ−ＲＳ）を送信するために使用されるＲＥを示すＣＳＩ−ＲＳコンフィギュレーションと、前記ＣｏＭＰ動作に含まれる特定の基地局が送信を制限するＲＥを示すミュート・コンフィギュレーションとのうちの少なくとも１つにさらに基づく、請求項１に記載の方法。
【請求項１３】
ＣＳＩ−ＲＳとミュートのうちの少なくとも１つが、あるサブ・フレームにおいて欠落していることを認識するようになることをさらに備え、
前記決定することは、ＣＳＩ−ＲＳまたはミュートのうちの少なくとも１つのために以前に割り当てられた１または複数のデータＲＥが、前記あるサブ・フレームにおけるデータ送信のために利用可能になったと判定することを備える、請求項１２に記載の方法。
【請求項１４】
前記決定することは、前記ＣｏＭＰ動作のために使用されるＣｏＭＰスキームと、前記ＣｏＭＰ動作に含まれる特定の基地局とを示すインジケーションを提供するシグナリングにさらに基づく、請求項１に記載の方法。
【請求項１５】
前記シグナリングは、準静的なコンフィギュレーションによる、請求項１４に記載の方法。
【請求項１６】
前記シグナリングは、物理ダウンリンク制御チャネル（ＰＤＣＣＨ）を用いて伝送される動的なインジケーションによる、請求項１４に記載の方法。
【請求項１７】
前記ＣｏＭＰ動作に含まれる特定の基地局は、ヘテロジニアスなネットワークにおける異なる電力クラスの基地局を備える、請求項１に記載の方法。
【請求項１８】
前記データは、前記ＣｏＭＰ動作に含まれる特定の基地局のおのおののから受信される、請求項１に記載の方法。
【請求項１９】
前記データは、前記ＣｏＭＰ動作に含まれる特定の基地局のサブセットから受信される、請求項１に記載の方法。
【請求項２０】
第１の基地局による無線通信のための方法であって、
ユーザ機器（ＵＥ）への協調マルチポイント（ＣｏＭＰ）動作のために使用されるデータ・リソース要素（ＲＥ）のセットを決定することと、
前記データＲＥの開始シンボル・インデクスの少なくとも１つのセットを前記ＵＥにシグナリングすることと、
前記決定されたデータＲＥのセットにおいて、前記ＣｏＭＰ動作を介してデータを前記ＵＥへ送信することと、
を備える方法。
【請求項２１】
前記決定されたデータＲＥのセットにおいて、前記第１の基地局によって前記ＵＥへ送信された変調シンボルが、別の基地局のための変調シンボルと同じであることを保証することをさらに備える、請求項２０に記載の方法。
【請求項２２】
前記決定することは、前記ＣｏＭＰ動作に含まれる特定の基地局のおのおのによって使用されるデータＲＥの結びに基づく、請求項２１に記載の方法。
【請求項２３】
前記保証することは、前記データＲＥの結びのサブセットにおいて、前記ＣｏＭＰ動作に含まれる別の特定の基地局のおのおのによって送信されたものと同じ変調シンボルを送信することを備える、請求項２２に記載の方法。
【請求項２４】
前記決定することはさらに、前記ＣｏＭＰ動作に含まれる特定の基地局のうちのいくつかに利用可能ではないパンクチャされたデータ位置に対応するＲＥに基づき、
前記第１の基地局は、前記別の基地局から送信されたものとは異なる、パンクチャされたデータ位置に対応するＲＥで、異なる変調シンボルを送信する、請求項２３に記載の方法。
【請求項２５】
前記決定することは、前記ＣｏＭＰ動作に含まれる、前記第１の基地局を含む特定の基地局によって使用されるデータＲＥの交わりに基づく、請求項２０に記載の方法。
【請求項２６】
前記ＣｏＭＰ動作に含まれる、前記第１の基地局を含む特定の基地局が、データＲＥの開始シンボル・インデクスを前記ＵＥへシグナリングする、請求項２０に記載の方法。
【請求項２７】
前記シグナリングは、準静的なコンフィギュレーションによって提供される、請求項２６に記載の方法。
【請求項２８】
前記シグナリングは、物理ダウンリンク制御チャネル（ＰＤＣＣＨ）を用いて伝送される動的なインジケーションによって提供される、請求項２６に記載の方法。
【請求項２９】
前記開始シンボル・インデクスは、前記ＣｏＭＰ動作に含まれる特定の基地局のうちの別の基地局によって示される開始シンボル・インデクスから、前記第１の基地局によって個別に示される、請求項２６に記載の方法。
【請求項３０】
前記ＣｏＭＰ動作に含まれる、前記第１の基地局を含む特定の基地局のすべてのために、単一の開始シンボル・インデクスが示される、請求項２６に記載の方法。
【請求項３１】
前記決定することは、対応する物理ダウンリンク制御チャネル（ＰＤＣＣＨ）が送信されるセルのために利用可能なデータＲＥに基づく、請求項２０に記載の方法。
【請求項３２】
前記決定することは、前記ＣｏＭＰ動作に含まれる特定の基地局によってチャネル状態情報基準信号（ＣＳＩ−ＲＳ）を送信するために使用されるＲＥを示すＣＳＩ−ＲＳコンフィギュレーションと、前記ＣｏＭＰ動作に含まれる特定の基地局が送信を制限するＲＥを示すミュート・コンフィギュレーションとのうちの少なくとも１つに基づく、請求項２０に記載の方法。
【請求項３３】
ＣＳＩ−ＲＳとミュートのうちの少なくとも１つが、あるサブ・フレームにおいて欠落しており、
前記決定することは、ＣＳＩ−ＲＳまたはミュートのうちの少なくとも１つのために以前に割り当てられた１または複数のデータＲＥが、前記あるサブ・フレームにおけるデータ送信のために利用可能になったと判定することを備える、請求項３２に記載の方法。
【請求項３４】
前記ＣｏＭＰ動作のために使用されるＣｏＭＰスキームと、前記ＣｏＭＰ動作に含まれる特定の基地局とを示すインジケーションを示すシグナリングを前記ＵＥへ提供すること、をさらに備える請求項２０に記載の方法。
【請求項３５】
前記シグナリングは、準静的なコンフィギュレーションによる、請求項３４に記載の方法。
【請求項３６】
前記シグナリングは、物理ダウンリンク制御チャネル（ＰＤＣＣＨ）を用いて伝送される動的なインジケーションによる、請求項３４に記載の方法。
【請求項３７】
前記ＣｏＭＰ動作に含まれる特定の基地局は、ヘテロジニアスなネットワークにおける異なる電力クラスの基地局を備える、請求項２０に記載の方法。
【請求項３８】
前記ＣｏＭＰ動作に含まれる特定の基地局のおのおののから変調シンボルが送信される、請求項２０に記載の方法。
【請求項３９】
前記ＣｏＭＰ動作に含まれる特定の基地局のサブセットから変調シンボルが送信される、請求項２０に記載の方法。
【請求項４０】
無線通信のための装置であって、
協調マルチポイント（ＣｏＭＰ）動作のために使用されるデータ・リソース要素（ＲＥ）のセットを前記装置によって決定する手段と、ここで、前記決定する手段は、前記ＣｏＭＰ動作に含まれる特定の基地局に利用可能なデータＲＥおよびＣｏＭＰスキームのタイプに基づいて決定する、
前記決定されたデータＲＥのセットにおいて前記ＣｏＭＰ動作を介して受信されたデータを処理する手段と、
を備える装置。
【請求項４１】
前記決定する手段は、前記ＣｏＭＰ動作に含まれる特定の基地局のおのおのによって使用されるデータＲＥの交わりに基づいて決定する、請求項４０に記載の装置。
【請求項４２】
前記決定する手段は、データＲＥの開始シンボル・インデクスを提供するシグナリングに基づいて決定する、請求項４０に記載の装置。
【請求項４３】
前記シグナリングは、準静的なコンフィギュレーションによって提供される、請求項４２に記載の装置。
【請求項４４】
前記シグナリングは、物理ダウンリンク制御チャネル（ＰＤＣＣＨ）を用いて伝送される動的なインジケーションによって提供される、請求項４２に記載の装置。
【請求項４５】
前記開始シンボル・インデクスは、前記ＣｏＭＰ動作に含まれる特定の基地局のおのおののために個別に示される、請求項４２に記載の装置。
【請求項４６】
前記ＣｏＭＰ動作に含まれる特定の基地局のすべてのために、単一の開始シンボル・インデクスが示される、請求項４２に記載の装置。
【請求項４７】
前記決定する手段は、物理ダウンリンク制御チャネル（ＰＤＣＣＨ）が送信されるセルのために利用可能なデータＲＥに基づいて決定する、請求項４０に記載の装置。
【請求項４８】
前記決定する手段は、前記ＣｏＭＰ動作に含まれる特定の基地局のおのおのによって使用されるデータＲＥの結びに基づいて決定する、請求項４０に記載の装置。
【請求項４９】
前記処理する手段は、前記データＲＥの結びのサブセットにおいて、前記ＣｏＭＰ動作に含まれる特定の基地局のおのおのによって送信された共通の変調シンボルを処理する、請求項４８に記載の装置。
【請求項５０】
前記決定する手段はさらに、前記ＣｏＭＰ動作に含まれる特定の基地局のうちのいくつかに利用可能ではないパンクチャされたデータ位置に対応するＲＥに基づいて決定し、
前記処理する手段は、パンクチャされたデータ位置に対応するＲＥにおいて、前記基地局から送信された別の変調シンボルを処理する、請求項４９に記載の装置。
【請求項５１】
前記決定する手段は、前記ＣｏＭＰ動作に含まれる特定の基地局によってチャネル状態情報基準信号（ＣＳＩ−ＲＳ）を送信するために使用されるＲＥを示すＣＳＩ−ＲＳコンフィギュレーションと、前記ＣｏＭＰ動作に含まれる特定の基地局が送信を制限するＲＥを示すミュート・コンフィギュレーションとのうちの少なくとも１つに基づいて決定する、請求項４０に記載の装置。
【請求項５２】
ＣＳＩ−ＲＳとミュートのうちの少なくとも１つが、あるサブ・フレームにおいて欠落していることを検出する手段をさらに備え、
前記決定する手段はさらに、ＣＳＩ−ＲＳまたはミュートのうちの少なくとも１つのために以前に割り当てられた１または複数のデータＲＥが、前記あるサブ・フレームにおけるデータ送信のために利用可能になったと判定する、請求項５１に記載の装置。
【請求項５３】
前記決定する手段は、前記ＣｏＭＰ動作のために使用されるＣｏＭＰスキームと、前記ＣｏＭＰ動作に含まれる特定の基地局とを示すインジケーションを提供するシグナリングにさらに基づいて決定する、請求項４０に記載の装置。
【請求項５４】
前記シグナリングは、準静的なコンフィギュレーションによる、請求項５３に記載の装置。
【請求項５５】
前記シグナリングは、物理ダウンリンク制御チャネル（ＰＤＣＣＨ）を用いて伝送される動的なインジケーションによる、請求項５３に記載の装置。
【請求項５６】
前記ＣｏＭＰ動作に含まれる特定の基地局は、ヘテロジニアスなネットワークにおける異なる電力クラスの基地局を備える、請求項４０に記載の装置。
【請求項５７】
前記データは、前記ＣｏＭＰ動作に含まれる特定の基地局のおのおののから受信される、請求項４０に記載の装置。
【請求項５８】
前記データは、前記ＣｏＭＰ動作に含まれる特定の基地局のサブセットから受信される、請求項４０に記載の装置。
【請求項５９】
無線通信のための装置であって、
ユーザ機器（ＵＥ）への協調マルチポイント（ＣｏＭＰ）動作のために使用されるデータ・リソース要素（ＲＥ）のセットを決定する手段と、
前記データＲＥの開始シンボル・インデクスの少なくとも１つのセットを前記ＵＥにシグナリングする手段と、
前記決定されたデータＲＥのセットにおいて前記ＣｏＭＰ動作を介してデータを前記ＵＥへ送信する手段と、
を備える装置。
【請求項６０】
前記決定されたデータＲＥのセットにおいて、前記第１の基地局によって前記ＵＥへ送信された変調シンボルが、別の基地局のための変調シンボルと同じであることを保証する手段、をさらに備える請求項５９に記載の装置。
【請求項６１】
前記決定する手段は、前記ＣｏＭＰ動作に含まれる特定の基地局のおのおのによって使用されるデータＲＥの結びに基づいて決定する、請求項６０に記載の装置。
【請求項６２】
前記保証する手段は、前記データＲＥの結びのサブセットにおいて、前記ＣｏＭＰ動作に含まれる別の特定の基地局のおのおのによって送信されたものと同じ変調シンボルを送信することによって保証する、請求項６０に記載の装置。
【請求項６３】
前記決定する手段はさらに、前記ＣｏＭＰ動作に含まれる特定の基地局のうちのいくつかに利用可能ではないパンクチャされたデータ位置に対応するＲＥに基づいて決定し、
前記第１の基地局は、前記別の基地局から送信されたものとは異なる、パンクチャされたデータ位置に対応するＲＥで、異なる変調シンボルを送信する、請求項６２に記載の装置。
【請求項６４】
前記決定する手段は、前記ＣｏＭＰ動作に含まれる、前記第１の基地局を含む特定の基地局によって使用されるデータＲＥの交わりに基づいて決定する、請求項５９に記載の装置。
【請求項６５】
前記ＣｏＭＰ動作に含まれる、前記第１の基地局を含む特定の基地局は、データＲＥの開始シンボル・インデクスを前記ＵＥへシグナリングする、請求項５９に記載の装置。
【請求項６６】
前記シグナリングは、準静的なコンフィギュレーションによって提供される、請求項６５に記載の装置。
【請求項６７】
前記シグナリングは、物理ダウンリンク制御チャネル（ＰＤＣＣＨ）を用いて伝送される動的なインジケーションによって提供される、請求項６５に記載の装置。
【請求項６８】
前記開始シンボル・インデクスは、前記ＣｏＭＰ動作に含まれる特定の基地局のうちの別の基地局によって示される開始シンボル・インデクスから、前記第１の基地局によって個別に示される、請求項６５に記載の装置。
【請求項６９】
前記ＣｏＭＰ動作に含まれる、前記第１の基地局を含む特定の基地局のすべてのために、単一の開始シンボル・インデクスが示される、請求項６５に記載の装置。
【請求項７０】
前記決定する手段は、対応する物理ダウンリンク制御チャネル（ＰＤＣＣＨ）が送信されるセルのために利用可能なデータＲＥに基づいて決定する、請求項５９に記載の装置。
【請求項７１】
前記決定する手段は、前記ＣｏＭＰ動作に含まれる特定の基地局によってチャネル状態情報基準信号（ＣＳＩ−ＲＳ）を送信するために使用されるＲＥを示すＣＳＩ−ＲＳコンフィギュレーションと、前記ＣｏＭＰ動作に含まれる特定の基地局が送信を制限するＲＥを示すミュート・コンフィギュレーションとのうちの少なくとも１つに基づいて決定する、請求項５９に記載の装置。
【請求項７２】
ＣＳＩ−ＲＳとミュートのうちの少なくとも１つが、あるサブ・フレームにおいて欠落しており、
前記決定する手段は、ＣＳＩ−ＲＳまたはミュートのうちの少なくとも１つのために以前に割り当てられた１または複数のデータＲＥが、前記あるサブ・フレームにおけるデータ送信のために利用可能になったと判定する、請求項７１に記載の装置。
【請求項７３】
前記ＣｏＭＰ動作のために使用されるＣｏＭＰスキームと、前記ＣｏＭＰ動作に含まれる特定の基地局とを示すインジケーションを、前記ＵＥへシグナリングする手段、をさらに備える請求項５９に記載の装置。
【請求項７４】
前記シグナリングは、準静的なコンフィギュレーションによる、請求項７３に記載の装置。
【請求項７５】
前記シグナリングは、物理ダウンリンク制御チャネル（ＰＤＣＣＨ）を用いて伝送される動的なインジケーションによる、請求項７３に記載の装置。
【請求項７６】
前記ＣｏＭＰ動作に含まれる特定の基地局は、ヘテロジニアスなネットワークにおける異なる電力クラスの基地局を備える、請求項５９に記載の装置。
【請求項７７】
前記ＣｏＭＰ動作に含まれる特定の基地局のおのおののから変調シンボルが送信される、請求項５９に記載の装置。
【請求項７８】
前記ＣｏＭＰ動作に含まれる特定の基地局のサブセットから変調シンボルが送信される、請求項５９に記載の装置。
【請求項７９】
無線通信のための装置であって、
協調マルチポイント（ＣｏＭＰ）動作のために使用されるデータ・リソース要素（ＲＥ）のセットを前記装置によって決定し、ここで、前記決定することは、前記ＣｏＭＰ動作に含まれる特定の基地局に利用可能なデータＲＥおよびＣｏＭＰスキームのタイプに基づく、
前記決定されたデータＲＥのセットにおいて前記ＣｏＭＰ動作を介して受信されたデータを処理する、
ように構成された処理システムを備える装置。
【請求項８０】
無線通信のための装置であって、
ユーザ機器（ＵＥ）への協調マルチポイント（ＣｏＭＰ）動作のために使用されるデータ・リソース要素（ＲＥ）のセットを決定し、前記データＲＥの開始シンボル・インデクスの少なくとも１つのセットを前記ＵＥにシグナリングするように構成された処理システムと、
前記決定されたデータＲＥのセットにおいて前記ＣｏＭＰ動作を介してデータを前記ＵＥへ送信するように構成された送信機と、
を備える装置。
【請求項８１】
無線通信のためのコードを格納するコンピュータ読取可能記憶媒体であって、前記コードは、
協調マルチポイント（ＣｏＭＰ）動作のために使用されるデータ・リソース要素（ＲＥ）のセットをＵＥによって決定することと、ここで、前記決定することは、前記ＣｏＭＰ動作に含まれる特定の基地局に利用可能なデータＲＥおよびＣｏＭＰスキームのタイプに基づく、
前記決定されたデータＲＥのセットにおいて、前記ＣｏＭＰ動作を介して受信されたデータを処理することと、
のためのコードを備えるコンピュータ読取可能な記憶媒体。
【請求項８２】
無線通信のためのコードを格納するコンピュータ読取可能記憶媒体であって、前記コードは、
ユーザ機器（ＵＥ）への協調マルチポイント（ＣｏＭＰ）動作のために、特定の基地局によって使用されるデータ・リソース要素（ＲＥ）のセットを決定することと、
前記データＲＥの開始シンボル・インデクスの少なくとも１つのセットを前記ＵＥにシグナリングすることと、
前記決定されたデータＲＥのセットにおいて、前記ＣｏＭＰ動作を介してデータを前記ＵＥへ送信することと、
のためのコードを備えるコンピュータ読取可能な記憶媒体。
【発明の詳細な説明】
【優先権主張】
【０００１】
本特許出願は、本願の譲受人に譲渡され、本明細書において参照によって明確に組み込まれている２０１１年１月１７日出願の米国仮特許出願６１／４３３，４４８号の利益を主張する。
【技術分野】
【０００２】
本開示のある態様は、一般に、無線通信に関する。
【背景技術】
【０００３】
無線通信システムは、例えば、音声、データ等のようなさまざまなタイプの通信コンテンツを提供するために広く開発されてきた。これらのシステムは、（例えば、帯域幅および送信電力等のような）利用可能なシステム・リソースを共有することにより、複数のユーザとの通信をサポートすることが可能な多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナシップ計画（３ＧＰＰ）ロング・ターム・イボリューション（ＬＴＥ）システム、および直交周波数分割多元接続（ＯＦＤＭＡ）システムを含む。
【０００４】
いわゆるＬＴＥアドバンスト機能セット（例えば３ＧＰＰ  ＴＳ  ３６．９２０）の下では、無線通信システムに対する最近の追加では、スペクトル効率、エア・インタフェースの品質およびパフォーマンスを高めるためにいくつかのセルがともに協調するための異なる機能が定義される。このような機能の例は、ＭＩＭＯのようなアプローチにおいてシステム・スペクトル効率を高めるために導入され、第３世代パートナシップ計画（３ＧＰＰ）によってほぼ完全に標準されつつある協調マルチポイント（ＣｏＭＰ）である。
【発明の概要】
【０００５】
本開示のある態様は、ユーザ機器による無線通信のための方法を提供する。
【０００６】
この方法は一般に、協調マルチポイント（ＣｏＭＰ）動作のために使用されるデータ・リソース要素（ＲＥ）のセットをＵＥによって決定することと、ここで、決定することは、ＣｏＭＰ動作に含まれる特定の基地局に利用可能なデータＲＥおよびＣｏＭＰスキームに基づく、決定されたデータＲＥのセットにおいてＣｏＭＰ動作を介して受信されたデータを処理することとを含む。
【０００７】
本開示のある態様は、第１の基地局による無線通信のための方法を提供する。この方法は一般に、ユーザ機器（ＵＥ）への協調マルチポイント（ＣｏＭＰ）動作のために、第１の基地局を含む特定の基地局によって使用されるデータ・リソース要素（ＲＥ）のセットを決定することと、決定されたデータＲＥのセットにおいてＣｏＭＰ動作を介してデータをＵＥへ送信することと、を含む。
【０００８】
本開示のある態様は、無線通信のための装置を提供する。この装置は一般に、協調マルチポイント（ＣｏＭＰ）動作のために使用されるデータ・リソース要素（ＲＥ）のセットを装置によって決定する手段と、ここで、決定する手段は、ＣｏＭＰ動作に含まれる特定の基地局に利用可能なデータＲＥおよびＣｏＭＰスキームに基づいて決定する、決定されたデータＲＥのセットにおいてＣｏＭＰ動作を介して受信されたデータを処理する手段とを含む。
【０００９】
本開示のある態様は、無線通信のための装置を提供する。この装置は一般に、ユーザ機器（ＵＥ）への協調マルチポイント（ＣｏＭＰ）動作のために、第１の基地局を含む特定の基地局によって使用されるデータ・リソース要素（ＲＥ）のセットを決定する手段と、決定されたデータＲＥのセットにおいてＣｏＭＰ動作を介してデータをＵＥへ送信する手段と、を含む。
【００１０】
本開示のある態様は、無線通信のための装置を提供する。この装置は一般に、協調マルチポイント（ＣｏＭＰ）動作のために使用されるデータ・リソース要素（ＲＥ）のセットを装置によって決定し、ここで、決定することは、ＣｏＭＰ動作に含まれる特定の基地局に利用可能なデータＲＥおよびＣｏＭＰスキームに基づく、決定されたデータＲＥのセットにおいてＣｏＭＰ動作を介して受信されたデータを処理する、ように構成された処理システムを含む。
【００１１】
本開示のある態様は、無線通信のための装置を提供する。この装置は一般に、処理システムと送信機とを含む。処理システムは一般に、ユーザ機器（ＵＥ）への協調マルチポイント（ＣｏＭＰ）動作のために、特定の基地局によって使用されるデータ・リソース要素（ＲＥ）のセットを決定するように構成される。送信機は一般に、決定されたデータＲＥのセットにおいてＣｏＭＰ動作を介してデータをＵＥへ送信するように構成される。
【００１２】
本開示のある態様は、無線通信のためのコンピュータ・プログラム製品を提供する。このコンピュータ・プログラム製品は一般に、協調マルチポイント（ＣｏＭＰ）動作のために使用されるデータ・リソース要素（ＲＥ）のセットをＵＥによって決定することと、ここで、決定することは、ＣｏＭＰ動作に含まれる特定の基地局に利用可能なデータＲＥおよびＣｏＭＰスキームに基づく、決定されたデータＲＥのセットにおいてＣｏＭＰ動作を介して受信されたデータを処理することと、のためのコードを有するコンピュータ読取可能な媒体を含む。
【００１３】
本開示のある態様は、無線通信のためのコンピュータ・プログラム製品を提供する。このコンピュータ・プログラム製品は、一般に、ユーザ機器（ＵＥ）への協調マルチポイント（ＣｏＭＰ）動作のために、特定の基地局によって使用されるデータ・リソース要素（ＲＥ）のセットを決定することと、決定されたデータＲＥのセットにおいてＣｏＭＰ動作を介してデータをＵＥへ送信することと、のためのコードを有するコンピュータ読取可能な媒体を含む。
【図面の簡単な説明】
【００１４】
本開示の前述した特徴が、より詳細に理解される方式で、簡潔に要約された上記具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示していることや、本開示の範囲を限定するものとしては考慮されないことが注目されるべきである。
【図１】図１は、ネットワーク・アーキテクチャの例を例示する図解である。
【図２】図２は、アクセス・ネットワークの例を例示する図解である。
【図３】図３は、ＬＴＥにおけるＤＬフレーム構造の例を例示する図解である。
【図４】図４は、ＬＴＥにおけるＵＬフレーム構造の例を例示する図解である。
【図５】図５は、ユーザ・プレーンおよび制御プレーンのためのラジオ・プロトコル・アーキテクチャの例を例示する図解である。
【図６】図６は、アクセス・ネットワークにおけるイボルブド・ノードＢおよびユーザ機器の例を例示する図解である。
【図７】図７は、ＣｏＭＰシステムの例を例示する。
【図８】図８は、本開示の態様にしたがって、ＣｏＭＰシステムにおいて基地局による使用のためのデータＲＥの決定の例を例示する。
【図９】図９は、本開示のある態様にしたがって、ＣｏＭＰ送信を処理するためにユーザ機器（ＵＥ）によって実行されうる動作９００の例を例示する。
【図１０】図１０は、本開示のある態様にしたがって、ＣｏＭＰ送信を処理するために基地局によって実行されうる動作１０００の例を例示する。
【発明を実施するための形態】
【００１５】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１６】
通信システムのいくつかの態様が、さまざまな装置および方法に対する参照を用いて表されうる。これらの装置および方法は、さまざまなブロック、モジュール、構成要素、回路、ステップ、処理、アルゴリズム等（集合的に「要素」と称される）によって、後述する詳細説明に記述されており、添付図面に例示される。これらの要素は、電子ハードウェア、コンピュータ・ソフトウェア、またはこれら任意の組み合わせを用いて実現されうる。これらの要素がハードウェアとしてまたはソフトウェアとして実現されるかは、特定のアプリケーションおよびシステム全体に課せられている設計制約に依存する。
【００１７】
例として、要素、要素の任意の部分、または、要素の任意の組み合わせは、１または複数のプロセッサを含む「処理システム」を用いて実現されうる。プロセッサの例は、マイクロ・プロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。
【００１８】
したがって、１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして符号化されうる。コンピュータ読取可能な媒体は、コンピュータ記憶媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようにディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、Ｂｌｕ−ｒａｙディスク（ｄｉｓｃ）を含む。ここで、ｄｉｓｋは通常、データを磁気的に再生し、ｄｉｓｃは、レーザを用いてデータを光学的に再生する。前述した組み合わせもまた、コンピュータ読取可能な媒体の範囲内に含まれるべきである。
【００１９】
図１は、ＬＴＥネットワーク・アーキテクチャ１００を例示する図解である。ＬＴＥネットワーク・アーキテクチャ１００は、イボルブド・パケット・システム（ＥＰＳ）１００と称されうる。ＥＰＳ１００は、１または複数のユーザ機器（ＵＥ）１０２、イボルブドＵＭＴＳ地上ラジオ・アクセス・ネットワーク（Ｅ−ＵＴＲＡＮ）１０４、イボルブド・パケット・コア（ＥＰＣ）１１０、ホーム加入者サーバ（ＨＳＳ）１２０、およびオペレータのＩＰサービス１２２を含みうる。ＥＰＳは、他のアクセス・ネットワークと相互接続しうるが、簡略のために、これらエンティティ／インタフェースは図示していない。図示されるように、ＥＰＳは、パケット交換サービスを提供する。しかしながら、当業者であれば容易に認識するであろうが、本開示にわたって示されているさまざまな概念は、回路交換サービスを提供しているネットワークに拡張されうる。
【００２０】
Ｅ−ＵＴＲＡＮは、イボルブド・ノードＢ（ｅＮＢ）１０６およびその他のｅＮＢ１０８を含んでいる。ｅＮＢ１０６は、ＵＥ１０２向けのユーザ・プレーン・プロトコル終端および制御プレーン・プロトコル終端を提供する。ｅＮＢ１０６は、Ｘ２インタフェース（例えば、バックホール）を経由して他のｅＮＢ１０８に接続されうる。ｅＮＢ１０６はまた、当業者によって、基地局、基地トランシーバ局、ラジオ基地局、ラジオ・トランシーバ、トランシーバ機能、基本サービス・セット（ＢＳＳ）、拡張サービス・セット（ＥＳＳ）、またはその他いくつかの適切な用語として称されうる。ｅＮＢ１０６は、ＵＥ１０２のために、ＥＰＣ１１０にアクセス・ポイントを提供する。ＵＥ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、またはその他の類似の機能デバイスを含む。ＵＥ１０２はまた、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００２１】
ｅＮＢ１０６は、Ｓ１インタフェースによってＥＰＣ１１０に接続される。
【００２２】
ＥＰＣ１１０は、モビリティ管理エンティティ（ＭＭＥ）１１２、その他のＭＭＥ１１４、サービス提供ゲートウェイ１１６、およびパケット・データ・ネットワーク（ＰＤＮ）ゲートウェイ１１８を含む。ＭＭＥ１１２は、ＵＥ１０２とＥＰＣ１１０との間のシグナリングを処理する制御ノードである。一般に、ＭＭＥ１１２はベアラおよび接続管理を提供する。すべてのユーザＩＰパケットは、ＰＤＮゲートウェイ１１８に接続されているサービス提供ゲートウェイ１１６を介して転送される。ＰＤＮゲートウェイ１１８は、ＵＥにＩＰアドレス割当のみならず、その他の機能も提供する。ＰＤＮゲートウェイ１１８は、オペレータのＩＰサービス１２２に接続される。オペレータのＩＰサービス１２２は、インターネット、イントラネット、ＩＰマルチメディア・サブシステム（ＩＭＳ）、およびＰＳストリーミング・サービス（ＰＳＳ）を含んでいる。
【００２３】
図２は、ＬＴＥネットワーク・アーキテクチャにおけるアクセス・ネットワーク２００の例を例示する図解である。この例では、アクセス・ネットワーク２００は、多くのセルラ領域（セル）２０２に分割される。１または複数の低電力クラスのｅＮＢ２０８は、これらセル２０２のうちの１または複数とそれぞれオーバラップするセルラ領域２１０を有しうる。低電力クラスｅＮＢ２０８は、遠隔ラジオ・ヘッド（ＲＲＨ）と称されうる。低電力クラスｅＮＢ２０８は、フェムト・セル（例えば、ホームｅＮＢ（ＨｅＮＢ））、ピコ・セル、またはミクロ・セルでありうる。マクロｅＮＢ２０４はおのおの、各セル２０２に割り当てられ、セル２０２内のすべてのＵＥ２０６のためにＥＰＣ１１０へアクセス・ポイントを提供するように構成されている。アクセス・ネットワーク２００のこの例では、中央コントローラは存在しないが、別の構成では、中央コントローラが使用されうる。ｅＮＢ２０４は、ラジオ・ベアラ制御、許可制御、モビリティ制御、スケジューリング、セキュリティ、および、サービス提供ゲートウェイ１１６への接続を含むすべてのラジオ関連機能を担当する。
【００２４】
アクセス・ネットワーク２００によって適用される変調および多元接続スキームは、展開されている特定の通信規格に依存して変動しうる。ＬＴＥアプリケーションでは、周波数分割デュプレクス（ＦＤＤ）と時分割デュプレクス（ＴＤＤ）との両方をサポートするために、ＤＬでＯＦＤＭが使用され、ＵＬでＳＣ−ＦＤＭＡが使用される。当業者であれば、後述する詳細記載から容易に認識されるように、本明細書で示されたさまざまな概念が、ＬＴＥアプリケーションにも同様に適合することを認識するであろう。しかしながら、これらの概念は、その他の変調技術および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念は、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）、ＴＤＭＡを適用するグローバル移動体通信（ＧＳＭ（登録商標））、およびＯＦＤＭＡを適用するイボルブドＵＴＲＡ（Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。適用されている実際の無線通信規格および多元接続技術は、特定のアプリケーションと、システムに課せられている全体的な設計制約とに依存するであろう。
【００２５】
ｅＮＢ２０４は、ＭＩＭＯ技術をサポートする複数のアンテナを有しうる。ＭＩＭＯ技術を使用することにより、ｅＮＢ２０４は、空間多重化、ビームフォーミング、および送信ダイバーシティをサポートするために空間領域を活用できるようになる。空間多重化は、同じ周波数で、異なるデータ・ストリームを同時に送信するために使用されうる。データ・ストリームは、データ・レートを高めるために単一のＵＥ２０６へ、全体的なシステム容量を高めるために複数のＵＥ２０６へ、送信されうる。これは、各データ・ストリームを空間的にプリコードし（すなわち、振幅およびフェーズのスケーリングを適用し）、空間的にプリコードされた各ストリームを、ＤＬで、複数の送信アンテナを介して送信することによって達成される。この空間的にプリコードされたデータ・ストリームは、異なる空間シグニチャを持つＵＥ（単数または複数）２０６に到着する。これによって、ＵＥ（単数または複数）２０６のおのおのは、ＵＥ２０６のために指定された１または複数のデータ・ストリームを復元できるようになる。ＵＬでは、おのおののＵＥ２０６が、空間的にプリコードされたデータ・ストリームを送信する。これによって、ｅＮＢ２０４は、空間的にプリコードされた各データ・ストリームのソースを識別できるようになる。
【００２６】
チャネル条件が良好な場合、空間多重化が一般に使用される。チャネル条件がさほど好ましくない場合、送信エネルギを１または複数の方向に集中させるためにビームフォーミングが使用されうる。これは、複数のアンテナを介した送信のために、データを空間的にプリコードすることによって達成されうる。セルの端部において良好な有効通信範囲を達成するために、単一ストリーム・ビームフォーミング送信が、送信ダイバーシティと組み合わされて使用されうる。
【００２７】
以下に続く詳細説明では、アクセス・ネットワークのさまざまな態様が、ＤＬでＯＦＤＭをサポートするＭＩＭＯシステムに関して記述されるだろう。ＯＦＤＭは、ＯＦＤＭシンボル内の多くのサブキャリアにおいてデータを変調するスペクトル拡散技術である。サブキャリアは、正確な周波数で隔離されている。この間隔は、受信機が、サブキャリアからデータを復元することを可能にする「直交性」を提供する。時間領域では、ＯＦＤＭ間シンボル干渉と格闘するために、各ＯＦＤＭシンボルにガード間隔（例えば、サイクリック・プレフィクス）が追加されうる。ＵＬは、高いピーク対平均電力比（ＰＡＲＲ）を補償するために、ＤＦＴ拡散ＯＦＤＭ信号の形態でＳＣ−ＦＤＭＡを使用しうる。
【００２８】
図３は、ＬＴＥにおけるＤＬフレーム構造の例を例示する図解３００である。フレーム（１０ミリ秒）が、等しいサイズの１０のサブ・フレームに分割されうる。おのおののサブ・フレームは、２つの連続する時間スロットを含みうる。おのおのがリソース・ブロックを含む２つの時間スロットを表すために、リソース・グリッドが使用されうる。リソース・グリッドは、複数のリソース要素に分割される。ＬＴＥでは、リソース・ブロックは、おのおののＯＦＤＭシンボルにおける通常のサイクリック・プレフィクスについて、周波数領域において１２の連続するサブキャリアを、時間領域において７つの連続するＯＦＤＭシンボルを、すなわち、８４のリソース要素を含んでいる。拡張されたサイクリック・プレフィクスのために、リソース・ブロックは、時間領域において６つの連続したＯＦＤＭシンボルを含み、７２のリソース要素を有する。Ｒ３０２，３０４として示されるような、リソース要素のいくつかは、ＤＬ基準信号（ＤＬ−ＲＳ）を含む。ＤＬ−ＲＳは、（しばしば、共通ＲＳとも称される）セル特有のＲＳ（ＣＲＳ）３０２と、ＵＥ特有のＲＳ（ＵＥ−ＲＳ）３０４とを含んでいる。ＵＥ−ＲＳ３０４は、対応する物理ＤＬ共有チャネル（ＰＤＳＣＨ）がマップされるリソース・ブロックにおいてのみ送信される。各リソース要素によって伝送されるビット数は、変調スキームに依存する。したがって、ＵＥが受信するリソース・ブロックが増え、変調スキームが高くなると、ＵＥのためのデータ・レートが高くなる。
【００２９】
図４は、ＬＴＥにおけるＵＬフレーム構造の例を例示する図解４００である。ＵＬのために利用可能なリソース・ブロックは、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。このＵＬフレーム構造の結果、データ・セクションは、連続するサブキャリアを含むようになる。これによって、データ・セクションにおいて連続するサブキャリアのすべてが単一のＵＥに割り当てられるようになる。
【００３０】
ＵＥは、ｅＮＢへ制御情報を送信するために、制御セクションにおいてリソース・ブロック４１０ａ，４１０ｂを割り当てられうる。ＵＥはまた、ｅＮＢへデータを送信するために、データ・セクションにおいてリソース・ブロック４２０ａ，４２０ｂを割り当てられうる。ＵＥは、制御セクションにおいて割り当てられたリソース・ブロックで、物理ＵＬ制御チャネル（ＰＵＣＣＨ）で制御情報を送信しうる。ＵＥは、データ・セクションにおいて割り当てられたリソース・ブロックで、物理ＵＬ共有チャネル（ＰＵＳＣＨ）で、データのみ、または、データと制御情報との両方を送信しうる。ＵＬ送信は、サブ・フレームの両スロットにおよび、周波数を越えてホップしうる。
【００３１】
物理ランダム・アクセス・チャネル（ＰＲＡＣＨ）４３０における初期システム・アクセスの実行と、ＵＬ同期の達成とのために、リソース・ブロックのセットが使用されうる。ＰＲＡＣＨ４３０は、ランダム・シーケンスを伝送するが、どのＵＬデータ／シグナリングも伝送することができない。ランダム・アクセス・プリアンブルはおのおの、６つの連続するリソース・ブロックに対応する帯域幅を占有する。開始周波数は、ネットワークによって指定される。すなわち、ランダム・アクセス・プリアンブルの送信は、ある時間リソースおよび周波数リソースに制限される。ＰＲＡＣＨのための周波数ホッピングは無い。ＰＲＡＣＨ試行は、単一のサブフレーム（１ミリ秒）で伝送されるか、少数の連続したサブ・フレームのシーケンスで伝送されうる。そして、ＵＥは、フレーム（１０ミリ秒）毎に１回のＰＲＡＣＨ試行しか行わないことがある。
【００３２】
図５は、ＬＴＥにおけるユーザ・プレーンおよび制御プレーンのためのラジオ・プロトコル・アーキテクチャの例を例示する図解５００である。ＵＥおよびｅＮＢのためのラジオ・プロトコル・アーキテクチャが、３つのレイヤ、すなわち、レイヤ１、レイヤ２、およびレイヤ３を用いて図示される。レイヤ１（Ｌ１レイヤ）は、最下位レイヤであり、さまざまな物理レイヤ信号処理機能を実施する。Ｌ１レイヤは、本明細書では物理レイヤ５０６と称されるだろう。レイヤ２（Ｌ２レイヤ）５０８は、物理レイヤ５０６上にあり、物理レイヤ６０６を介したＵＥとｅＮＢとの間のリンクを担当する。
【００３３】
ユーザ・プレーンでは、Ｌ２レイヤ５０８は、媒体アクセス制御（ＭＡＣ）サブレイヤ５１０と、ラジオ・リンク制御（ＲＬＣ）サブレイヤ５１２と、パケット・データ収束プロトコル（ＰＤＣＰ）サブレイヤ５１４とを含む。これらは、ネットワーク側におけるｅＮＢにおいて終了する。図示されていないが、ＵＥは、ネットワーク側におけるＰＤＮゲートウェイ１１８で終了するネットワーク・レイヤ（例えば、ＩＰレイヤ）を含む、Ｌ２レイヤ５０８上のいくつかの上部レイヤと、（例えば、遠くのエンドＵＥ、サーバ等のような）接続の他端において終了するアプリケーション・レイヤとを有しうる。
【００３４】
ＰＤＣＰサブレイヤ５１４は、異なるラジオ・ベアラと論理チャネルとの間の多重化を提供する。ＰＤＣＰサブレイヤ５１４はまた、ラジオ送信オーバヘッドを低減するための上部レイヤ・データ・パケットのためのヘッダ圧縮、データ・パケットを暗号化することによるセキュリティ、および、ｅＮＢ間のＵＥのためのハンドオーバ・サポートを提供する。ＲＬＣサブレイヤ５１２は、上部レイヤ・データ・パケットのセグメント化および再アセンブル、喪失したデータ・パケットの再送信、および、ハイブリッド自動反復要求（ＨＡＲＱ）による順不同な受信を補償するためのデータ・パケットの並べ替えを提供する。ＭＡＣサブレイヤ５１０は、論理チャネルと伝送チャネルとの間の多重化を提供する。ＭＡＣサブレイヤ５１０はまた、１つのセル内のさまざまなラジオ・リソース（例えば、リソース・ブロック）を、ＵＥ間に割り当てることをも担当する。ＭＡＣサブレイヤ５１０はまた、ＨＡＲＱ動作をも担当する。
【００３５】
制御プレーンでは、ＵＥおよびｅＮＢのためのラジオ・プロトコル・アーキテクチャは、制御プレーンのためのヘッダ圧縮機能が無いことを除いて、物理レイヤ５０６およびＬ２レイヤ５０８について実質的に同じである。制御プレーンはまた、レイヤ３（Ｌ３レイヤ）にラジオ・リソース制御（ＲＲＣ）サブレイヤ５１６を含んでいる。ＲＲＣサブレイヤ５１６は、ラジオ・リソース（すなわち、ラジオ・ベアラ）を取得することと、ＲＲＣシグナリングを用いてｅＮＢとＵＥとの間に下部レイヤを設定することと、を担当する。
【００３６】
図３は、ＬＴＥにおけるＤＬフレーム構造の例を例示する図解３００である。フレーム（１０ミリ秒）が、等しいサイズの１０のサブ・フレームに分割されうる。おのおののサブ・フレームは、２つの連続する時間スロットを含みうる。おのおのがリソース・ブロックを含む２つの時間スロットを表すために、リソース・グリッドが使用されうる。リソース・グリッドは、複数のリソース要素に分割される。ＬＴＥでは、リソース・ブロックは、おのおののＯＦＤＭシンボルにおける通常のサイクリック・プレフィクスについて、周波数領域において１２の連続するサブキャリアを、時間領域において７つの連続するＯＦＤＭシンボルを、すなわち、８４のリソース要素を含んでいる。拡張されたサイクリック・プレフィクスのために、リソース・ブロックは、時間領域において６つの連続したＯＦＤＭシンボルを含み、７２のリソース要素を有する。Ｒ３０２，３０４として示されるような、リソース要素のいくつかは、ＤＬ基準信号（ＤＬ−ＲＳ）を含む。ＤＬ−ＲＳは、（しばしば、共通ＲＳとも称される）セル特有のＲＳ（ＣＲＳ）３０２と、ＵＥ特有のＲＳ（ＵＥ−ＲＳ）３０４とを含んでいる。ＵＥ−ＲＳ３０４は、対応する物理ＤＬ共有チャネル（ＰＤＳＣＨ）がマップされるリソース・ブロックにおいてのみ送信される。各リソース要素によって伝送されるビット数は、変調スキームに依存する。したがって、ＵＥが受信するリソース・ブロックが増え、変調スキームが高くなると、ＵＥのためのデータ・レートが高くなる。
【００３７】
図４は、ＬＴＥにおけるＵＬフレーム構造の例を例示する図解４００である。ＵＬのために利用可能なリソース・ブロックは、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。このＵＬフレーム構造の結果、データ・セクションは、連続するサブキャリアを含むようになる。これによって、データ・セクションにおいて連続するサブキャリアのすべてが単一のＵＥに割り当てられるようになる。
【００３８】
ＵＥは、ｅＮＢへ制御情報を送信するために、制御セクションにおいてリソース・ブロック４１０ａ，４１０ｂを割り当てられうる。ＵＥはまた、ｅＮＢへデータを送信するために、データ・セクションにおいてリソース・ブロック４２０ａ，４２０ｂを割り当てられうる。ＵＥは、制御セクションにおいて割り当てられたリソース・ブロックで、物理ＵＬ制御チャネル（ＰＵＣＣＨ）で制御情報を送信しうる。ＵＥは、データ・セクションにおいて割り当てられたリソース・ブロックで、物理ＵＬ共有チャネル（ＰＵＳＣＨ）で、データのみ、または、データと制御情報との両方を送信しうる。ＵＬ送信は、サブ・フレームの両スロットにおよび、周波数を越えてホップしうる。
【００３９】
物理ランダム・アクセス・チャネル（ＰＲＡＣＨ）４３０における初期システム・アクセスの実行と、ＵＬ同期の達成とのために、リソース・ブロックのセットが使用されうる。ＰＲＡＣＨ４３０は、ランダム・シーケンスを伝送するが、どのＵＬデータ／シグナリングも伝送することができない。ランダム・アクセス・プリアンブルはおのおの、６つの連続するリソース・ブロックに対応する帯域幅を占有する。開始周波数は、ネットワークによって指定される。すなわち、ランダム・アクセス・プリアンブルの送信は、ある時間リソースおよび周波数リソースに制限される。ＰＲＡＣＨのための周波数ホッピングは無い。ＰＲＡＣＨ試行は、単一のサブフレーム（１ミリ秒）で伝送されるか、少数の連続したサブ・フレームのシーケンスで伝送されうる。そして、ＵＥは、フレーム（１０ミリ秒）毎に１回のＰＲＡＣＨ試行しか行わないことがある。
【００４０】
図５は、ＬＴＥにおけるユーザ・プレーンおよび制御プレーンのためのラジオ・プロトコル・アーキテクチャの例を例示する図解５００である。ＵＥおよびｅＮＢのためのラジオ・プロトコル・アーキテクチャが、３つのレイヤ、すなわち、レイヤ１、レイヤ２、およびレイヤ３を用いて図示される。レイヤ１（Ｌ１レイヤ）は、最下位レイヤであり、さまざまな物理レイヤ信号処理機能を実施する。Ｌ１レイヤは、本明細書では物理レイヤ５０６と称されるだろう。レイヤ２（Ｌ２レイヤ）５０８は、物理レイヤ５０６上にあり、物理レイヤ６０６を介したＵＥとｅＮＢとの間のリンクを担当する。
【００４１】
ユーザ・プレーンでは、Ｌ２レイヤ５０８は、媒体アクセス制御（ＭＡＣ）サブレイヤ５１０と、ラジオ・リンク制御（ＲＬＣ）サブレイヤ５１２と、パケット・データ収束プロトコル（ＰＤＣＰ）サブレイヤ５１４とを含む。これらは、ネットワーク側におけるｅＮＢにおいて終了する。図示されていないが、ＵＥは、ネットワーク側におけるＰＤＮゲートウェイ１１８で終了するネットワーク・レイヤ（例えば、ＩＰレイヤ）を含む、Ｌ２レイヤ５０８上のいくつかの上部レイヤと、（例えば、遠くのエンドＵＥ、サーバ等のような）接続の他端において終了するアプリケーション・レイヤとを有しうる。
【００４２】
ＰＤＣＰサブレイヤ５１４は、異なるラジオ・ベアラと論理チャネルとの間の多重化を提供する。ＰＤＣＰサブレイヤ５１４はまた、ラジオ送信オーバヘッドを低減するための上部レイヤ・データ・パケットのためのヘッダ圧縮、データ・パケットを暗号化することによるセキュリティ、および、ｅＮＢ間のＵＥのためのハンドオーバ・サポートを提供する。ＲＬＣサブレイヤ５１２は、上部レイヤ・データ・パケットのセグメント化および再アセンブル、喪失したデータ・パケットの再送信、および、ハイブリッド自動反復要求（ＨＡＲＱ）による順不同な受信を補償するためのデータ・パケットの並べ替えを提供する。ＭＡＣサブレイヤ５１０は、論理チャネルと伝送チャネルとの間の多重化を提供する。ＭＡＣサブレイヤ５１０はまた、１つのセル内のさまざまなラジオ・リソース（例えば、リソース・ブロック）を、ＵＥ間に割り当てることをも担当する。ＭＡＣサブレイヤ５１０はまた、ＨＡＲＱ動作をも担当する。
【００４３】
制御プレーンでは、ＵＥおよびｅＮＢのためのラジオ・プロトコル・アーキテクチャは、制御プレーンのためのヘッダ圧縮機能が無いことを除いて、物理レイヤ５０６およびＬ２レイヤ５０８について実質的に同じである。制御プレーンはまた、レイヤ３（Ｌ３レイヤ）にラジオ・リソース制御（ＲＲＣ）サブレイヤ５１６を含んでいる。ＲＲＣサブレイヤ５１６は、ラジオ・リソース（すなわち、ラジオ・ベアラ）を取得することと、ＲＲＣシグナリングを用いてｅＮＢとＵＥとの間に下部レイヤを設定することと、を担当する。
【００４４】
図６は、アクセス・ネットワークにおいてＵＥ６５０と通信しているｅＮＢ６１０のブロック図である。ＤＬでは、コア・ネットワークからの上部レイヤ・パケットが、コントローラ／プロセッサ６７５へ提供される。コントローラ／プロセッサ６７５は、Ｌ２レイヤの機能を実現する。ＤＬでは、コントローラ／プロセッサ６７５は、さまざまな優先度判定基準に基づいて、ヘッダ圧縮、暗号化、パケット・セグメント化および並べ替え、論理チャネルと伝送チャネルとの間の多重化、および、ＵＥ６５０へのラジオ・リソース割当を提供する。さらに、コントローラ／プロセッサ６７５はまた、ＨＡＲＱ動作、喪失パケットの再送信、およびＵＥ６５０へのシグナリングを担当する。
【００４５】
送信（ＴＸ）プロセッサ６１６は、Ｌ１レイヤ（すなわち、物理レイヤ）のためのさまざまな信号処理機能を実現する。この信号処理機能は、ＵＥ６５０におけるフォワード誤り訂正（ＦＥＣ）を容易にするための符号化およびインタリービング、および、さまざまな変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ））に基づく信号コンステレーションへのマッピング、を含む。符号化および変調されたシンボルは、その後、並行なストリームへ分割される。おのおののストリームはその後、ＯＦＤＭサブキャリアへマップされ、時間領域および／または周波数領域において基準信号（例えば、パイロット）とともに多重化され、その後、逆高速フーリエ変換（ＩＦＦＴ）を用いてともに結合されることにより、時間領域ＯＦＤＭシンボル・ストリームを伝送する物理チャネルが生成される。このＯＦＤＭストリームは、空間的にプリコードされ、複数の空間ストリームが生成される。チャネル推定器６７４からのチャネル推定値は、空間処理のためのみならず、符号化および変調スキームを決定するためにも使用されうる。チャネル推定値は、ＵＥ６５０によって送信されたチャネル条件フィードバックおよび／または基準信号から導出されうる。おのおのの空間ストリームはその後、個別の送信機６１８ＴＸを介して別々のアンテナ６２０へ提供される。おのおのの送信機６１８ＴＸは、送信のために、それぞれの空間ストリームを用いてＲＦキャリアを変調する。
【００４６】
ＵＥ６５０では、おのおのの受信機６５４ＲＸが、それぞれのアンテナ６５２を介して信号を受信する。おのおのの受信機６５４ＲＸは、ＲＦキャリアへ変調された情報を復元し、この情報を、受信（ＲＸ）プロセッサ６５６へ提供する。ＲＸプロセッサ６５６は、Ｌ１レイヤのさまざまな信号処理機能を実施する。ＲＸプロセッサ６５６は、この情報に対して空間処理を実行し、ＵＥ６５０のために向けられた任意の空間ストリームを復元する。複数の空間ストリームが、ＵＥ６５０に向けられている場合、これらは、ＲＸデータ・プロセッサ６５６によって、単一のＯＦＤＭシンボル・ストリームへ結合されうる。ＲＸプロセッサ６５６は、その後、高速フーリエ変換（ＦＦＴ）を用いて、ＯＦＤＭシンボル・ストリームを、時間領域から周波数領域へ変換する。周波数領域信号は、ＯＦＤＭ信号のおのおののサブキャリアの個別のＯＦＤＭシンボル・ストリームを備える。おのおののサブキャリアにおけるシンボル、および基準信号は、ｅＮＢ６１０によって送信された最も可能性の高いコンステレーション・ポイントを判定することによって復元および復調される。これら軟判定は、チャネル推定器６５８によって計算されたチャネル推定値に基づきうる。これら軟判定はその後、復号およびデインタリーブされ、物理チャネル上でｅＮＢ６１０によって送信されたオリジナルのデータ信号および制御信号が復元される。データ信号および制御信号はその後、コントローラ／プロセッサ６５９へ提供される。
【００４７】
コントローラ／プロセッサ６５９は、Ｌ２レイヤを実現する。コントローラ／プロセッサは、プログラム・コードおよびデータを格納するメモリ６６０に関連付けられうる。メモリ６６０は、コンピュータ読取可能な媒体と称されうる。ＵＬでは、制御／プロセッサ６５９は、コア・ネットワークからの上部レイヤ・パケットを復元するために、伝送チャネルと論理チャネルとの間の逆多重化、パケット再アセンブリ、解読、ヘッダ伸張、制御信号処理を提供する。Ｌ２レイヤ上のすべてのプロトコル・レイヤを表す上部レイヤ・パケットは、その後、データ・シンク６６２へ提供される。Ｌ３処理のためにも、データ・シンク６６２へさまざまな制御信号が提供されうる。コントローラ／プロセッサ６５９はまた、ＨＡＲＱ動作をサポートするためにアクノレッジメント（ＡＣＫ）および／または否定的アクノレッジメント（ＮＡＣＫ）プロトコルを用いて、誤り検出を担当する。
【００４８】
ＵＬでは、コントローラ／プロセッサ６５９へ上部レイヤ・パケットを提供するために、データ・ソース６６７が使用される。データ・ソース６６７は、Ｌ２レイヤ上のすべてのプロトコル・レイヤを表す。ｅノードＢ６１０によるＤＬ送信に関して記載された機能と同様に、コントローラ／プロセッサ６５９は、ヘッダ圧縮、暗号化、パケット・セグメント化および並べ替え、および、ｅＮＢ６１０によるラジオ・リソース割当に基づく論理チャネルと伝送チャネルとの間の多重化を提供することによって、ユーザ・プレーンおよび制御プレーンのためのＬ２レイヤを実現する。さらに、コントローラ／プロセッサ６５９はまた、ＨＡＲＱ動作、喪失パケットの再送信、およびｅＮＢ６１０へのシグナリングを担当する。
【００４９】
ｅＮＢ６１０によって送信されたフィードバックまたは基準信号から、チャネル推定器６５８によって導出されたチャネル推定値が、適切な符号化スキームおよび変調スキームを選択するために、および、空間処理を容易にするために、ＴＸプロセッサ６６８によって使用されうる。ＴＸデータ・プロセッサ６６８によって生成された空間ストリームは、個別の送信機６５４ＴＸを介して異なるアンテナ６５２に提供される。おのおのの送信機６５４ＴＸは、送信のために、それぞれの空間ストリームを用いてＲＦキャリアを変調する。
【００５０】
ＵＬ送信は、ＵＥ６５０における受信機機能に関して記載されたものと類似した方式で、ｅＮＢ６１０において処理される。おのおのの受信機６１８ＲＸは、それぞれのアンテナ６２０を介して信号を受信する。おのおのの受信機６１８ＲＸは、ＲＦキャリアへ変調された情報を復元し、この情報を、ＲＸデータ・プロセッサ６７０へ提供する。ＲＸプロセッサ６７０は、Ｌ１レイヤを実現しうる。
【００５１】
コントローラ／プロセッサ６７５は、Ｌ２レイヤを実現する。コントローラ／プロセッサ６７５は、プログラム・コードおよびデータを格納するメモリ６７６に関連付けられうる。メモリ６７６は、コンピュータ読取可能な媒体と称されうる。ＵＬでは、制御／プロセッサ６７５は、ＵＥ６５０からの上部レイヤ・パケットを復元するために、伝送チャネルと論理チャネルとの間の逆多重化、パケット再アセンブリ、解読、ヘッダ伸張、制御信号処理を提供する。コントローラ／プロセッサ６７５からの上部レイヤ・パケットは、コア・ネットワークへ提供されうる。コントローラ／プロセッサ６７５はまた、ＨＡＲＱ動作をサポートするためにＡＣＫおよび／またはＮＡＣＫプロトコルを用いて、誤り検出を担当する。
【００５２】
（協調マルチポイント送信スキームのためのレート・マッチング）  
前述したように、いわゆるＬＴＥアドバンスト機能セット（例えば３ＧＰＰ  ＴＳ  ３６．９２０）の下では、無線通信システムに対する最近の追加では、スペクトル効率、エア・インタフェースの品質およびパフォーマンスを高めるためにいくつかのセルがともに協調するための異なる機能が定義される。このような機能の例は、ＭＩＭＯのようなアプローチにおいてシステム・スペクトル効率を高めるために導入され（ここで、ＣｏＭＰ動作に含まれる異なる基地局は、個別のＭＩＭＯ  Ｔｘアンテナに類似していると考えられる）、第３世代パートナシップ計画（３ＧＰＰ）によってほぼ完全に標準されつつある協調マルチポイント（ＣｏＭＰ）動作である。
【００５３】
図７は、複数の基地局７１０（例えば、サービス提供ｅＮＢ７１０ａおよびリモート・ラジオ・ヘッドＲＲＨ７１０ｂ）が１または複数のＣｏＭＰスキームを用いて１または複数のＵＥ７１０への送信を調整しうるシステムの例を例示する。基地局７１０およびＵＥ７２０は、異なるデータＲＥ（異なる数および／または位置のデータＲＥ）を利用する異なる基地局を考慮するために、以下により詳細に記載される技術を活用してＣｏＭＰスキームに参加するように構成されうる。
【００５４】
本明細書で使用されるように、ＣｏＭＰスキームという用語は一般に、１または複数のＵＥへの送信を調整するために、複数の基地局によって使用される特定の基地局を称する。ＣｏＭＰスキームのいくつかの例は、統合送信、分散ＭＩＭＯ、協調ビームフォーミング、動的ポイント切換等を含む。
【００５５】
統合送信ＣｏＭＰスキームでは、複数の基地局（またはｅＮＢ）が、一般に、ＵＥのために意味されたものと同じデータを送信する。例えば、協調している基地局は、含まれているすべての基地局のアンテナのすべてにおよぶ統合プリコーディング・ベクトルを利用しうる。
【００５６】
分散ＭＩＭＯ  ＣｏＭＰスキームでは、一般に、複数の基地局が、異なるＭＩＭＯレイヤとしてＵＥのために意味されているデータの別の部分を送信する。例えば、１つのレイヤが１つの基地局によって送信され、第２のレイヤが第２の基地局によって送信される具合に、サポートされている数のレイヤまで送信される。
【００５７】
協調ビームフォーミングＣｏＭＰスキームでは、各特定の基地局が、（サービス提供している）ＵＥへ、別の近隣セル内において参加しているＣｏＭＰ基地局によってサービス提供されているＵＥへの干渉を低減するために選択されたビームを用いて送信する。
【００５８】
動的ポイント切換ＣｏＭＰスキームでは、ＵＥのためにサービス提供している基地局は、基地局のセット内で、経時的に変化しうる。
【００５９】
異なるＣｏＭＰ基地局によるデータのために使用される特定のＲＥは異なるので、ＣｏＭＰスキームに伴う１つの問題が生じる。異なる基地局によって使用されるデータＲＥの正確な数および位置は、１または複数のさまざまな理由によって、異なりうる。例えば、異なる基地局は、異なる数の制御シンボルを有し、異なる数のＲＥが、データのために利用可能となる。他の例として、ＣＲＳの位置が異なり、これらのＣＳＩ−ＲＳパターンが異なり、および／または、これらミュートされたＲＥのパターンが異なりうる。本明細書で使用されているように、ミュートされたＲＥという用語は一般に、例えば、他の基地局との干渉を低減するため、または、他の基地局のための干渉測定を容易にするために、基地局が送信を制限するＲＥを称する。このような制限された送信の例として、いくつかのＲＥは、ゼロ出力で送信されうる。
【００６０】
異なる基地局が異なるデータＲＥで送信しうるという事実を考慮するＣｏＭＰ基地局のスケジューリング・アルゴリズムおよびマッピング・アルゴリズムの欠陥により、異なる変調シンボルが、同じＲＥで送信されることになりうる。この結果生じるコンフリクトが、ＣｏＭＰを用いることによって達成可能な意図された利得に対する顕著なオフセットをもたらす可能性が生じ、パフォーマンスの低下をもたらしうる。
【００６１】
異なるＣｏＭＰ基地局によって使用される異なるデータＲＥを考慮する１つのアプローチは、前述された問題が緩和される限定されたタイプのサブ・フレームのみでＣｏＭＰスキームを使用することである。例えば、ＣｏＭＰスキームは、ＣＲＳがデータ領域内に存在しないＭＢＳＦＮサブ・フレームに制限されうる。あいにく、ミュート・パターンおよびＣＳＩ−ＲＳパターンにおける相違は未だに、ＭＢＳＦＮサブ・フレームにおいてでさえも利用可能なデータＲＥの位置におけるミスマッチを引き起こしうる。
【００６２】
しかしながら、本開示のある態様は、異なるｅＮＢ、およびさまざまなサブフレーム・タイプで利用可能な異なるデータＲＥで生じる問題に対処することを支援しうる。
【００６３】
ある態様によれば、ＣｏＭＰに参加している基地局は、ＣｏＭＰに参加している基地局のすべてによって使用されるデータＲＥで送信される変調シンボルが同じであることを保証しうる。ＣｏＭＰ動作に含まれるＵＥは、参加しているすべての基地局によってどのデータＲＥが使用されるのかを決定し、送信されている変調シンボルを、コンフリクトが無いというある確証を持って処理しうる。
【００６４】
ある態様によれば、ＣｏＭＰ動作に含まれるすべてのｅＮＢにおいてデータＲＥであるＲＥのみが使用されうる。このアプローチは、（各ｅＢが、同じ共通のデータＲＥで同じシンボルを送信する）統合送信のために特に適切でありうる。
【００６５】
ある態様によれば、ＣｏＭＰ動作におけるデータ送信のために利用可能なＲＥの決定は、データＲＥの開始シンボル・インデクスを提供するシグナリングに基づく。このような場合、ＵＥは、物理ダウンリンク制御チャネル（ＰＤＣＣＨ）を用いて、動的なインジケーションによって、または、準静的なコンフィギュレーションによって、データ・チャネルの開始シンボルをシグナルされうる。
【００６６】
ＬＴＥでは、大規模なシステム帯域幅の制御のために、最大３シンボルが使用されうる。制御シンボルの数は、ＣｏＭＰ動作に含まれる基地局のおのおのにおいて、異なって管理されうる。基地局のための制御シンボルの数はまた、サブ・フレーム毎にも変動しうる。ＵＥは、一般に、サブ・フレーム内のセルによって使用される制御シンボルの数を決定するために、物理フォーマット・インジケーション・チャネル（ＰＣＦＩＣＨ）の復号、恐らくは、物理Ｈ−ＡＲＱインジケータ・チャネル（ＰＨＩＣＨ）との結合に依存しうる。データ・チャネルの開始シンボルは一般に、制御領域直後の１つである。
【００６７】
ＣｏＭＰ動作に含まれる２またはそれ以上の基地局を持つＵＥは、２またはそれ以上の基地局からのＰＣＦＩＣＨおよび／またはＰＨＩＣＨを復号する必要無く、データ送信のための開始シンボル・インデクスを明示的に示されうる。開始シンボル・インデクスは、ＣｏＭＰ動作に含まれる特定の基地局の各々のために個別に示されうる。これは、ＣｏＭＰ動作にフレキシビリティおよび効率を与える。ＵＥは、ＣｏＭＰ動作のための特定の基地局に対応するサブ・フレームにおけるデータ受信のための開始シンボル・インデクスのうちの１つを用いるように明示的または暗黙的にシグナルされうる。例として、ＰＤＣＣＨが送信される基地局へ、特定の基地局がリンクされうる。あるいは、ＣｏＭＰ動作に含まれる特定の基地局のすべてのために、単一の開始シンボル・インデクスが示されうる。
【００６８】
ある態様によれば、ＣｏＭＰ動作のためのデータＲＥの決定は、対応する物理ダウンリンク制御チャネル（ＰＤＣＣＨ）が送信されるセルのために利用可能なデータＲＥに基づく。ＰＤＣＣＨを伝送するセルのために利用可能なデータＲＥは、ＵＥがＣｏＭＰ動作を用いて設定されていない場合と同じ方式でＵＥによって決定されうる。例として、ＵＥは、制御領域の把握、もって、データ領域の開始シンボル・インデクスの把握のために、ＰＣＦＩＣＨおよび／またはＰＨＩＣＨを復号しうる。さらに、ＲＳコンフィギュレーションの情報（ＣＲＳ、ＣＳＩ−ＲＳ、およびＵＥ−ＲＳ）、および恐らくはその他のチャネル（例えば、一次ブロードキャスト・チャネル、一次同期チャネル、二次同期チャネル等）に基づいて、ＵＥは、データ送信のために利用可能なＲＥのセットを決定しうる。
【００６９】
ある態様によれば、各ｅＮＢは、そのデータＲＥを使用しうる。このアプローチは、協調ＢＦ、分散ＭＩＭＯ、動的ポイント切換等のために適切であり、ここでは、一度に１つのｅＮＢのみがＵＥへ送信する。しかしながら、このアプローチは、統合送信に関するチャレンジを示しうる。例えば、このようなスキームが統合送信のために使用される場合、基地局は、他のｅＮＢのためのデータＲＥでもあるデータＲＥで送信する変調シンボルが同じであることを保証する必要がありうる。
【００７０】
例えば、データＲＥの共通のデータＲＥ（例えば、結びまたは交わり）、およびこれらに利用可能ではないパンクチャされたデータのサブセットを仮定して、複数の基地局が、レート・マッチしうる。例えば、パンクチャされたデータ位置の場合、基地局は、他の基地局から送信されたものとは異なるシンボルを、パンクチャされたデータ位置に対応するＲＥで送信しうる。例えば、図８は、データＲＥ｛Ｄ，Ｄ，Ｄ，Ｎ｝および｛Ｄ，Ｎ，Ｄ，Ｄ｝を持つ（セル１およびセル２のための）２つの基地局の例を例示する。これは、４番目の位置が、セル１のためのパンクチャ・データのＲＥに対応し、２番目の位置が、セル２のためのパンクチャ・データのＲＥに対応することを意味する。基地局は、｛Ｘ１，Ｘ２，Ｘ３，０｝を送信する第１の基地局および｛Ｘ１，０，Ｘ３，Ｘ４｝を送信する第２の基地局と送信するために、変調シンボル｛Ｘ１，Ｘ２，Ｘ３，Ｘ４｝を識別しうる。このようなスキームを復調するために、別のｅＮＢから独立したチャネル推定値が必要とされうる。これは、必要であれば別のＵＥ−ＲＳレイヤを用いて行われうる。
【００７１】
図９は、本開示のある態様にしたがって、ＣｏＭＰ送信を処理するためにＵＥによって実行されうる動作９００の例を例示する。これら動作は、（例えば、図６に図示される対応するプロセッサおよび構成要素を用いて）例えば図７に図示されるＵＥ７２０によって実行されうる。
【００７２】
動作９００は、９０２において、ＵＥによって、協調マルチポイント（ＣｏＭＰ）動作のために使用されるデータ・リソース要素（ＲＥ）のセットを決定することにより始まる。ここで、この決定は、ＣｏＭＰ動作に含まれる特定の基地局に利用可能なデータＲＥおよびＣｏＭＰスキームに基づく。９０４において、ＵＥは、決定されたデータＲＥのセットにおいてＣｏＭＰ動作を介して受信されたデータを処理する。
【００７３】
図１０は、本開示のある態様にしたがって、ＣｏＭＰ送信を処理するために基地局によって実行されうる動作１０００の例を例示する。これら動作は、（例えば、図６に図示される対応するプロセッサおよび構成要素を用いて）例えば図７に図示される基地局７１０によって実行されうる。
【００７４】
これら動作１０００は、１００２において、ユーザ機器（ＵＥ）への協調マルチポイント（ＣｏＭＰ）動作のために、基地局を含む特定の基地局によって使用されるデータ・リソース要素（ＲＥ）のセットを決定することによって始まる。１００４において、第１の局が、決定されたデータＲＥのセットにおいてＣｏＭＰ動作によって、ＵＥへデータを送信する。
【００７５】
いくつかの場合には、別のＣｏＭＰスキームのために、データＲＥを決定するための異なる解決策が取られうる。ある態様によれば、ＵＥは、ＣｏＭＰ動作に含まれる特定の基地局と特定のＣｏＭＰスキームとに基づいて、どのＲＥがデータＲＥであるかを認識しうる。このような情報は、例えば、準静的なコンフィギュレーションまたは動的なインジケーションによってシグナルされうる。準静的なコンフィギュレーションのために、高次レイヤ・シグナリングが、含まれているノードおよび関連するＣｏＭＰスキームをＵＥへ示しうる。このような情報は、動的なインジケーションのために、ＰＤＣＣＨで伝送されうる。
【００７６】
このような解決策が効率的に動作するために、ＣｏＭＰ動作に含まれるＵＥは、ＣｏＭＰ動作に含まれる近隣セルのミュート・コンフィギュレーションおよびＣＳＩ−ＲＳコンフィギュレーションのうちの少なくとも１つを、自己のものに加えて、認識する必要がありうる。ＣＳＩ−ＲＳコンフィギュレーションは、例えば、ＣｏＭＰ動作に含まれる基地局によってＣＳＩ−ＲＳを送信するために使用されるＲＥを示しうる。例えば、ミュート・コンフィギュレーションは、ＣｏＭＰ動作に含まれる基地局（単数または複数）が送信を制限するＲＥを示しうる。
【００７７】
ある場合には、ＣＳＩ−ＲＳおよび／ミュートは、ページングとの衝突によって、あるサブ・フレームにおいて欠落しうる。この場合、ＣＳＩ−ＲＳ／ミュートのために以前に割り当てられたデータＲＥが、データ送信のために利用可能となりうる。このシナリオに対処するために、さまざまなアプローチが採用されうる。例として、第１のアプローチは、このようなＲＥを、単純にデータＲＥとしては取り扱わない場合がありうる。しかしながら、第２のアプローチでは、ＵＥは、これらＲＥを、特定の基地局のために利用可能なデータＲＥとして取り扱う場合がありうる。この場合、利用可能なデータＲＥとして取り扱われるべきこれらのデータのために、ＵＥと、ＵＥによって影響を受けるｅＮＢとは、ＣＳＩ−ＲＳ／ミュートが（例えばシグナリングによって）欠落した場合を（例えば、検知によって）認識するようになされる必要がありうる。
【００７８】
本明細書に記載された技術は、ＣｏＭＰ動作におけるデータＲＥの効率的な使用を可能にしうる。本明細書に記載された技術は、リレーおよび遠隔ラジオ・ヘッド（ＲＲＨ）を利用するネットワークのみならず、同じ電力クラスの基地局を利用するＣｏＭＰネットワーク（ホモジニアスなネットワーク）、または異なる電力クラスの基地局を利用するＣｏＭＰネットワーク（例えば、ヘテロジニアスなネットワーク）に適用されうる。
【００７９】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、このような動作を実行することが可能な対応するmeans-plus-function構成要素を有しうる。
【００８０】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサでありうるが、代替案では、プロセッサは、任意の市販のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８１】
本開示に関連して記載された方法またはアルゴリズムのステップは、ハードウェアによって直接的に、プロセッサによって実行されるソフトウェア・モジュールによって、あるいは、これら２つの組み合わせによって具現化されうる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００８２】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００８３】
説明された機能を、ハードウェア、ソフトウェア、ファームウェア、またはその任意の組合せで実施することができる。ソフトウェアで実現される場合、これら機能は、コンピュータ読取可能な媒体に、１または複数の命令群として格納される。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。
【００８４】
したがって、ある態様は、本明細書に記載された動作を実行するためのコンピュータ・プログラム製品を備えうる。例えば、このようなコンピュータ・プログラム製品は、格納された（および／または符号化された）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００８５】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８６】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。
【００８７】
さらに、本明細書で説明された方法および技法をデバイスに提供するために、その他任意の適切な技法が利用されうる。
【００８８】
特許請求の範囲が、上述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００８９】
前述したものは、本開示の態様に向けられているが、これら開示のその他およびさらなる態様が、本願の基本的な範囲から逸脱することなく考案され、この範囲は、以下に示す特許請求の範囲によって決定される。
なお、以下に、出願当初の特許請求の範囲に記載された発明を付記する。
［発明１］ユーザ機器（ＵＥ）による無線通信のための方法であって、
協調マルチポイント（ＣｏＭＰ）動作のために使用されるデータ・リソース要素（ＲＥ）のセットを前記ＵＥによって決定することと、ここで、前記決定することは、前記ＣｏＭＰ動作に含まれる特定の基地局に利用可能なデータＲＥおよびＣｏＭＰスキームに基づく、
前記決定されたデータＲＥのセットにおいて、前記ＣｏＭＰ動作を介して受信されたデータを処理することと、
を備える方法。
［発明２］前記決定することは、前記ＣｏＭＰ動作に含まれる特定の基地局のおのおのによって使用されるデータＲＥの交わりに基づく、発明１に記載の方法。
［発明３］前記決定することは、データＲＥの開始シンボル・インデクスを提供するシグナリングに基づく、発明１に記載の方法。
［発明４］前記シグナリングは、準静的なコンフィギュレーションによって提供される、発明３に記載の方法。
［発明５］前記シグナリングは、物理ダウンリンク制御チャネル（ＰＤＣＣＨ）を用いて伝送される動的なインジケーションによって提供される、発明３に記載の方法。
［発明６］前記開始シンボル・インデクスは、前記ＣｏＭＰ動作に含まれる特定の基地局のおのおののために個別に示される、発明３に記載の方法。
［発明７］前記ＣｏＭＰ動作に含まれる特定の基地局のすべてのために、単一の開始シンボル・インデクスが示される、発明３に記載の方法。
［発明８］前記決定することは、物理ダウンリンク制御チャネル（ＰＤＣＣＨ）が送信されるセルのために利用可能なデータＲＥに基づく、発明１に記載の方法。
［発明９］前記決定することは、前記ＣｏＭＰ動作に含まれる特定の基地局のおのおのによって使用されるデータＲＥの結びに基づく、発明１に記載の方法。
［発明１０］前記処理することは、前記データＲＥの結びのサブセットにおいて、前記ＣｏＭＰ動作に含まれる特定の基地局のおのおのによって送信された共通の変調シンボルを処理することを備える、発明９に記載の方法。
［発明１１］前記決定することはさらに、前記ＣｏＭＰ動作に含まれる特定の基地局のうちのいくつかに利用可能ではないパンクチャされたデータ位置に対応するＲＥに基づき、
前記処理することは、パンクチャされたデータ位置に対応するＲＥにおいて、前記基地局から送信された別の変調シンボルを処理することを備える、発明１０に記載の方法。
［発明１２］前記決定することは、前記ＣｏＭＰ動作に含まれる特定の基地局によってチャネル状態情報基準信号（ＣＳＩ−ＲＳ）を送信するために使用されるＲＥを示すＣＳＩ−ＲＳコンフィギュレーションと、前記ＣｏＭＰ動作に含まれる特定の基地局が送信を制限するＲＥを示すミュート・コンフィギュレーションとのうちの少なくとも１つに基づく、発明１に記載の方法。
［発明１３］ＣＳＩ−ＲＳとミュートのうちの少なくとも１つが、あるサブ・フレームにおいて欠落していることを認識するようになることをさらに備え、
前記決定することは、ＣＳＩ−ＲＳまたはミュートのうちの少なくとも１つのために以前に割り当てられた１または複数のデータＲＥが、前記あるサブ・フレームにおけるデータ送信のために利用可能になったと判定することを備える、発明１２に記載の方法。
［発明１４］前記決定することは、前記ＣｏＭＰ動作のために使用されるＣｏＭＰスキームと、前記ＣｏＭＰ動作に含まれる特定の基地局とを示すインジケーションを提供するシグナリングに基づく、発明１に記載の方法。
［発明１５］前記シグナリングは、準静的なコンフィギュレーションによる、発明１４に記載の方法。
［発明１６］前記シグナリングは、物理ダウンリンク制御チャネル（ＰＤＣＣＨ）を用いて伝送される動的なインジケーションによる、発明１４に記載の方法。
［発明１７］前記ＣｏＭＰ動作に含まれる特定の基地局は、ヘテロジニアスなネットワークにおける異なる電力クラスの基地局を備える、発明１に記載の方法。
［発明１８］前記データは、前記ＣｏＭＰ動作に含まれる特定の基地局のおのおののから受信される、発明１に記載の方法。
［発明１９］前記データは、前記ＣｏＭＰ動作に含まれる特定の基地局のサブセットから受信される、発明１に記載の方法。
［発明２０］第１の基地局による無線通信のための方法であって、
ユーザ機器（ＵＥ）への協調マルチポイント（ＣｏＭＰ）動作のために、前記第１の基地局を含む特定の基地局によって使用されるデータ・リソース要素（ＲＥ）のセットを決定することと、
前記決定されたデータＲＥのセットにおいて、前記ＣｏＭＰ動作を介してデータを前記ＵＥへ送信することと、
を備える方法。
［発明２１］前記決定されたデータＲＥのセットにおいて、前記第１の基地局によって前記ＵＥへ送信された変調シンボルが、別の基地局のための変調シンボルと同じであることを保証することをさらに備える、発明２０に記載の方法。
［発明２２］前記決定することは、前記ＣｏＭＰ動作に含まれる特定の基地局のおのおのによって使用されるデータＲＥの結びに基づく、発明２１に記載の方法。
［発明２３］前記保証することは、前記データＲＥの結びのサブセットにおいて、前記ＣｏＭＰ動作に含まれる別の特定の基地局のおのおのによって送信されたものと同じ変調シンボルを送信することを備える、発明２２に記載の方法。
［発明２４］前記決定することはさらに、前記ＣｏＭＰ動作に含まれる特定の基地局のうちのいくつかに利用可能ではないパンクチャされたデータ位置に対応するＲＥに基づき、
前記第１の基地局は、前記別の基地局から送信されたものとは異なる、パンクチャされたデータ位置に対応するＲＥで、異なる変調シンボルを送信する、発明２３に記載の方法。
［発明２５］前記決定することは、前記ＣｏＭＰ動作に含まれる、前記第１の基地局を含む特定の基地局によって使用されるデータＲＥの交わりに基づく、発明２０に記載の方法。
［発明２６］前記ＣｏＭＰ動作に含まれる、前記第１の基地局を含む特定の基地局は、データＲＥの開始シンボル・インデクスを前記ＵＥへシグナリングする、発明２０に記載の方法。
［発明２７］前記シグナリングは、準静的なコンフィギュレーションによって提供される、発明２６に記載の方法。
［発明２８］前記シグナリングは、物理ダウンリンク制御チャネル（ＰＤＣＣＨ）を用いて伝送される動的なインジケーションによって提供される、発明２６に記載の方法。
［発明２９］前記開始シンボル・インデクスは、前記ＣｏＭＰ動作に含まれる特定の基地局のうちの別の基地局によって示される開始シンボル・インデクスから、前記第１の基地局によって個別に示される、発明２６に記載の方法。
［発明３０］前記ＣｏＭＰ動作に含まれる、前記第１の基地局を含む特定の基地局のすべてのために、単一の開始シンボル・インデクスが示される、発明２６に記載の方法。
［発明３１］前記決定することは、対応する物理ダウンリンク制御チャネル（ＰＤＣＣＨ）が送信されるセルのために利用可能なデータＲＥに基づく、発明２０に記載の方法。
［発明３２］前記決定することは、前記ＣｏＭＰ動作に含まれる特定の基地局によってチャネル状態情報基準信号（ＣＳＩ−ＲＳ）を送信するために使用されるＲＥを示すＣＳＩ−ＲＳコンフィギュレーションと、前記ＣｏＭＰ動作に含まれる特定の基地局が送信を制限するＲＥを示すミュート・コンフィギュレーションとのうちの少なくとも１つに基づく、発明２０に記載の方法。
［発明３３］ＣＳＩ−ＲＳとミュートのうちの少なくとも１つが、あるサブ・フレームにおいて欠落しており、
前記決定することは、ＣＳＩ−ＲＳまたはミュートのうちの少なくとも１つのために以前に割り当てられた１または複数のデータＲＥが、前記あるサブ・フレームにおけるデータ送信のために利用可能になったと判定することを備える、発明３２に記載の方法。
［発明３４］前記ＣｏＭＰ動作のために使用されるＣｏＭＰスキームと、前記ＣｏＭＰ動作に含まれる特定の基地局とを示すインジケーションを示すシグナリングを前記ＵＥへ提供すること、をさらに備える発明２０に記載の方法。
［発明３５］前記シグナリングは、準静的なコンフィギュレーションによる、発明３４に記載の方法。
［発明３６］前記シグナリングは、物理ダウンリンク制御チャネル（ＰＤＣＣＨ）を用いて伝送される動的なインジケーションによる、発明３４に記載の方法。
［発明３７］前記ＣｏＭＰ動作に含まれる特定の基地局は、ヘテロジニアスなネットワークにおける異なる電力クラスの基地局を備える、発明２０に記載の方法。
［発明３８］前記ＣｏＭＰ動作に含まれる特定の基地局のおのおののから変調シンボルが送信される、発明２０に記載の方法。
［発明３９］前記ＣｏＭＰ動作に含まれる特定の基地局のサブセットから変調シンボルが送信される、発明２０に記載の方法。
［発明４０］無線通信のための装置であって、
協調マルチポイント（ＣｏＭＰ）動作のために使用されるデータ・リソース要素（ＲＥ）のセットを前記装置によって決定する手段と、ここで、前記決定する手段は、前記ＣｏＭＰ動作に含まれる特定の基地局に利用可能なデータＲＥおよびＣｏＭＰスキームに基づいて決定する、
前記決定されたデータＲＥのセットにおいてＣｏＭＰ動作を介して受信されたデータを処理する手段と、
を備える装置。
［発明４１］前記決定する手段は、前記ＣｏＭＰ動作に含まれる特定の基地局のおのおのによって使用されるデータＲＥの交わりに基づいて決定する、発明４０に記載の装置。
［発明４２］前記決定する手段は、データＲＥの開始シンボル・インデクスを提供するシグナリングに基づいて決定する、発明４０に記載の装置。
［発明４３］前記シグナリングは、準静的なコンフィギュレーションによって提供される、発明４２に記載の装置。
［発明４４］前記シグナリングは、物理ダウンリンク制御チャネル（ＰＤＣＣＨ）を用いて伝送される動的なインジケーションによって提供される、発明４２に記載の装置。
［発明４５］前記開始シンボル・インデクスは、前記ＣｏＭＰ動作に含まれる特定の基地局のおのおののために個別に示される、発明４２に記載の装置。
［発明４６］前記ＣｏＭＰ動作に含まれる特定の基地局のすべてのために、単一の開始シンボル・インデクスが示される、発明４２に記載の装置。
［発明４７］前記決定する手段は、物理ダウンリンク制御チャネル（ＰＤＣＣＨ）が送信されるセルのために利用可能なデータＲＥに基づいて決定する、発明４０に記載の装置。
［発明４８］前記決定する手段は、前記ＣｏＭＰ動作に含まれる特定の基地局のおのおのによって使用されるデータＲＥの結びに基づいて決定する、発明４０に記載の装置。
［発明４９］前記処理する手段は、前記データＲＥの結びのサブセットにおいて、前記ＣｏＭＰ動作に含まれる特定の基地局のおのおのによって送信された共通の変調シンボルを処理する、発明４８に記載の装置。
［発明５０］前記決定する手段はさらに、前記ＣｏＭＰ動作に含まれる特定の基地局のうちのいくつかに利用可能ではないパンクチャされたデータ位置に対応するＲＥに基づいて決定し、
前記処理する手段は、パンクチャされたデータ位置に対応するＲＥにおいて、前記基地局から送信された別の変調シンボルを処理する、発明４９に記載の装置。
［発明５１］前記決定する手段は、前記ＣｏＭＰ動作に含まれる特定の基地局によってチャネル状態情報基準信号（ＣＳＩ−ＲＳ）を送信するために使用されるＲＥを示すＣＳＩ−ＲＳコンフィギュレーションと、前記ＣｏＭＰ動作に含まれる特定の基地局が送信を制限するＲＥを示すミュート・コンフィギュレーションとのうちの少なくとも１つに基づいて決定する、発明４０に記載の装置。
［発明５２］ＣＳＩ−ＲＳとミュートのうちの少なくとも１つが、あるサブ・フレームにおいて欠落していることを検出する手段をさらに備え、
前記決定する手段は、ＣＳＩ−ＲＳまたはミュートのうちの少なくとも１つのために以前に割り当てられた１または複数のデータＲＥが、前記あるサブ・フレームにおけるデータ送信のために利用可能になったと判定する、発明５１に記載の装置。
［発明５３］前記決定する手段は、前記ＣｏＭＰ動作のために使用されるＣｏＭＰスキームと、前記ＣｏＭＰ動作に含まれる特定の基地局とを示すインジケーションを提供するシグナリングに基づいて決定する、発明４０に記載の装置。
［発明５４］前記シグナリングは、準静的なコンフィギュレーションによる、発明５３に記載の装置。
［発明５５］前記シグナリングは、物理ダウンリンク制御チャネル（ＰＤＣＣＨ）を用いて伝送される動的なインジケーションによる、発明５３に記載の装置。
［発明５６］前記ＣｏＭＰ動作に含まれる特定の基地局は、ヘテロジニアスなネットワークにおける異なる電力クラスの基地局を備える、発明４０に記載の装置。
［発明５７］前記データは、前記ＣｏＭＰ動作に含まれる特定の基地局のおのおののから受信される、発明４０に記載の装置。
［発明５８］前記データは、前記ＣｏＭＰ動作に含まれる特定の基地局のサブセットから受信される、発明４０に記載の装置。
［発明５９］無線通信のための装置であって、
ユーザ機器（ＵＥ）への協調マルチポイント（ＣｏＭＰ）動作のために、第１の基地局を含む特定の基地局によって使用されるデータ・リソース要素（ＲＥ）のセットを決定する手段と、
前記決定されたデータＲＥのセットにおいて前記ＣｏＭＰ動作を介してデータを前記ＵＥへ送信する手段と、
を備える装置。
［発明６０］前記決定されたデータＲＥのセットにおいて、前記第１の基地局によって前記ＵＥへ送信された変調シンボルが、別の基地局のための変調シンボルと同じであることを保証する手段、をさらに備える発明５９に記載の装置。
［発明６１］前記決定する手段は、前記ＣｏＭＰ動作に含まれる特定の基地局のおのおのによって使用されるデータＲＥの結びに基づいて決定する、発明６０に記載の装置。
［発明６２］前記保証する手段は、前記データＲＥの結びのサブセットにおいて、前記ＣｏＭＰ動作に含まれる別の特定の基地局のおのおのによって送信されたものと同じ変調シンボルを送信することによって保証する、発明６１に記載の装置。
［発明６３］前記決定する手段はさらに、前記ＣｏＭＰ動作に含まれる特定の基地局のうちのいくつかに利用可能ではないパンクチャされたデータ位置に対応するＲＥに基づいて決定し、
前記第１の基地局は、前記別の基地局から送信されたものとは異なる、パンクチャされたデータ位置に対応するＲＥで、異なる変調シンボルを送信する、発明６２に記載の装置。
［発明６４］前記決定する手段は、前記ＣｏＭＰ動作に含まれる、前記第１の基地局を含む特定の基地局によって使用されるデータＲＥの交わりに基づいて決定する、発明５９に記載の装置。
［発明６５］前記ＣｏＭＰ動作に含まれる、前記第１の基地局を含む特定の基地局は、データＲＥの開始シンボル・インデクスを前記ＵＥへシグナリングする、発明５９に記載の装置。
［発明６６］前記シグナリングは、準静的なコンフィギュレーションによって提供される、発明６５に記載の装置。
［発明６７］前記シグナリングは、物理ダウンリンク制御チャネル（ＰＤＣＣＨ）を用いて伝送される動的なインジケーションによって提供される、発明６５に記載の装置。
［発明６８］前記開始シンボル・インデクスは、前記ＣｏＭＰ動作に含まれる特定の基地局のうちの別の基地局によって示される開始シンボル・インデクスから、前記第１の基地局によって個別に示される、発明６５に記載の装置。
［発明６９］前記ＣｏＭＰ動作に含まれる、前記第１の基地局を含む特定の基地局のすべてのために、単一の開始シンボル・インデクスが示される、発明６５に記載の装置。
［発明７０］前記決定する手段は、対応する物理ダウンリンク制御チャネル（ＰＤＣＣＨ）が送信されるセルのために利用可能なデータＲＥに基づいて決定する、発明５９に記載の装置。
［発明７１］前記決定する手段は、前記ＣｏＭＰ動作に含まれる特定の基地局によってチャネル状態情報基準信号（ＣＳＩ−ＲＳ）を送信するために使用されるＲＥを示すＣＳＩ−ＲＳコンフィギュレーションと、前記ＣｏＭＰ動作に含まれる特定の基地局が送信を制限するＲＥを示すミュート・コンフィギュレーションとのうちの少なくとも１つに基づいて決定する、発明５９に記載の装置。
［発明７２］ＣＳＩ−ＲＳとミュートのうちの少なくとも１つが、あるサブ・フレームにおいて欠落しており、
前記決定する手段は、ＣＳＩ−ＲＳまたはミュートのうちの少なくとも１つのために以前に割り当てられた１または複数のデータＲＥが、前記あるサブ・フレームにおけるデータ送信のために利用可能になったと判定する、発明７１に記載の装置。
［発明７３］前記ＣｏＭＰ動作のために使用されるＣｏＭＰスキームと、前記ＣｏＭＰ動作に含まれる特定の基地局とを示すインジケーションを、前記ＵＥへシグナリングする手段、をさらに備える発明５９に記載の装置。
［発明７４］前記シグナリングは、準静的なコンフィギュレーションによる、発明７３に記載の装置。
［発明７５］前記シグナリングは、物理ダウンリンク制御チャネル（ＰＤＣＣＨ）を用いて伝送される動的なインジケーションによる、発明７３に記載の装置。
［発明７６］前記ＣｏＭＰ動作に含まれる特定の基地局は、ヘテロジニアスなネットワークにおける異なる電力クラスの基地局を備える、発明５９に記載の装置。
［発明７７］前記ＣｏＭＰ動作に含まれる特定の基地局のおのおののから変調シンボルが送信される、発明５９に記載の装置。
［発明７８］前記ＣｏＭＰ動作に含まれる特定の基地局のサブセットから変調シンボルが送信される、発明５９に記載の装置。
［発明７９］無線通信のための装置であって、
協調マルチポイント（ＣｏＭＰ）動作のために使用されるデータ・リソース要素（ＲＥ）のセットを前記装置によって決定し、ここで、前記決定することは、前記ＣｏＭＰ動作に含まれる特定の基地局に利用可能なデータＲＥおよびＣｏＭＰスキームに基づく、
前記決定されたデータＲＥのセットにおいてＣｏＭＰ動作を介して受信されたデータを処理する、
ように構成された処理システムを備える装置。
［発明８０］無線通信のための装置であって、
ユーザ機器（ＵＥ）への協調マルチポイント（ＣｏＭＰ）動作のために、特定の基地局によって使用されるデータ・リソース要素（ＲＥ）のセットを決定するように構成された処理システムと、
前記決定されたデータＲＥのセットにおいてＣｏＭＰ動作を介してデータを前記ＵＥへ送信するように構成された送信機と、
を備える装置。
［発明８１］無線通信のためのコンピュータ・プログラム製品であって、
協調マルチポイント（ＣｏＭＰ）動作のために使用されるデータ・リソース要素（ＲＥ）のセットをＵＥによって決定することと、ここで、前記決定することは、前記ＣｏＭＰ動作に含まれる特定の基地局に利用可能なデータＲＥおよびＣｏＭＰスキームに基づく、
前記決定されたデータＲＥのセットにおいて、前記ＣｏＭＰ動作を介して受信されたデータを処理することと、
のためのコードを備えるコンピュータ読取可能な媒体を備える
コンピュータ・プログラム製品。
［発明８２］無線通信のためのコンピュータ・プログラム製品であって、
ユーザ機器（ＵＥ）への協調マルチポイント（ＣｏＭＰ）動作のために、特定の基地局によって使用されるデータ・リソース要素（ＲＥ）のセットを決定することと、
前記決定されたデータＲＥのセットにおいて、前記ＣｏＭＰ動作を介してデータを前記ＵＥへ送信することと、
のためのコードを備えるコンピュータ読取可能な媒体を備える
コンピュータ・プログラム製品。
【図１】
0005745095.tif 000002
【図２】
0005745095.tif 000003
【図３】
0005745095.tif 000004
【図４】
0005745095.tif 000005
【図５】
0005745095.tif 000006
【図６】
0005745095.tif 000007
【図７】
0005745095.tif 000008
【図８】
0005745095.tif 000009
【図９】
0005745095.tif 000010
【図１０】
0005745095.tif 000011